(57)【要約】【課題】  ユーザーが指示することなしに、受信信号品質の表示を更新することができるようにする。【解決手段】  変調された信号を受信し、復調する復調手段と、該復調手段により復調されたデータの受信品質を検出する受信品質検出手段とを備え、アンテナ調整モードにおいて、順次に各受信チャンネルの受信信号品質を測定し、各受信チャンネルとその測定結果とを対応させて画面上に一覧表示を行い、各チャンネルの受信信号品質の表示を自動的に更新する。【選択図】        図１
2007104365.tif 000002
【特許請求の範囲】
【請求項１】
変調された信号を受信し、復調する復調手段と、該復調手段により復調されたデータの受信品質を検出する受信品質検出手段とを備え、アンテナ調整モードにおいて、順次に各受信チャンネルの受信信号品質を測定し、各受信チャンネルとその測定結果とを対応させて画面上に一覧表示を行い、各チャンネルの受信信号品質の表示を自動的に更新するように構成されたことを特徴とする放送受信装置。
【請求項２】
請求項１記載の放送受信装置において、
上記各受信チャンネルと上記各受信チャンネルの受信信号品質の測定結果とを対応させた画面上の一覧表示を一定時間ごとに更新することを特徴とする放送受信装置。
【請求項３】
請求項１記載の放送受信装置において、
アンテナ調整モードにおける各チャンネルの受信信号品質表示の更新時、各チャンネルの受信レベルを測定して記憶するメモリを備え、受信可能な全てのチャンネルの受信信号品質を測定した後、該メモリに記憶した各チャンネルの受信信号品質の表示を同時に更新することを特徴とする放送受信装置。
【請求項４】
請求項１記載の放送受信装置において、アンテナ調整モードにおける各チャンネルの受信信号品質表示の更新時、各チャンネルの受信信号品質を順次測定し、受信信号品質の表示をチャンネルごとに順次更新することを特徴とする放送受信装置。
【請求項５】
請求項１乃至請求項４のいずれかに記載の放送受信装置において、受信信号品質の測定時、自動利得調整、ビット誤り率、キャリア・ノイズ比のうちのいずれか一つ、または複数を組み合わせて算出することを特徴とする放送受信装置。
【請求項６】
請求項１乃至請求項５のいずれかに記載の放送受信装置において、アンテナ調整モード下における受信信号品質の表示更新時に、更新された時間、更新した回数の付加情報を同時に表示することを特徴とする放送受信装置。
【請求項７】
請求項１乃至請求項６のいずれかに記載の放送受信装置において、アンテナ調整モードにて受信可能な各チャンネルの受信信号品質を測定し、測定した各チャンネルの受信信号品質を総合して１つの受信信号品質表示として表示することを特徴とする放送受信装置。
【発明の詳細な説明】
【技術分野】
【０００１】
本発明は、アンテナを利用して放送を受信するための放送受信装置に関するものである。
【背景技術】
【０００２】
衛星や地上波の放送を受信する放送受信装置は、所定の方向に向けたアンテナを通して受け取った複数の放送波の中から任意の周波数帯域をチューナによって選択し、復調、デコードすることによって映像、音声を出力する。アンテナは電波の到来方向に合わせて、最適な位置に調整する必要があり、このアンテナ調整を支援するためのデジタル放送受信装置に関し、以下のような従来例がある。
【０００３】
特許文献１によれば、アンテナ調整支援モード下において、順次に各チャンネルの受信レベルを測定して画面表示し、さらにユーザー指示を受けて順次に各チャンネルの受信信号品質を測定して画面表示する技術が記載されている。従って、受信可能な各チャンネルの受信レベルが同時に画面表示されるため、アンテナの向きを調節した後、受信可能な放送を１チャンネルずつ選局して受信レベルを確認する必要がない。
【特許文献１】特開２００４−１６５８６０号公報
【発明の開示】
【発明が解決しようとする課題】
【０００４】
しかしながら、上述の装置のように、ユーザー指示すなわちリモコンからの操作を受けて、受信信号品質の表示を更新するのでは、アンテナの向きを変えるたびにリモコン操作をしなくてはならず、アンテナ調整が困難であるという問題を有している。
【０００５】
本発明は、そのような状況に鑑みてなされたもので、ユーザーが指示することなしに、受信信号品質を更新することができるようにするものである。
【課題を解決するための手段】
【０００６】
本発明は、上記の課題を解決するために、変調された信号を受信し、復調する復調手段と、該復調手段により復調されたデータの受信品質を検出する受信品質検出手段とを備え、アンテナ調整モードにおいて、順次に各受信チャンネルの受信信号品質を測定し、各受信チャンネルとその測定結果とを対応させて画面上に一覧表示を行い、各チャンネルの受信信号品質の表示を自動的に更新するように構成されたことを特徴とする。
【発明の効果】
【０００７】
本発明により、ユーザーがアンテナの方向を調整する際、アンテナレベル（受信信号品質）表示画面にて複数のチャンネルの受信状態を確認することができ、さらにユーザーが操作することなくアンテナレベル（受信信号品質）が更新されるため、ユーザーの手間を減らし効果的なアンテナ調整が可能となる。
【発明を実施するための最良の形態】
【０００８】
以下に、本発明による放送受信装置の実施形態を図面を用いて説明する。
【実施例１】
【０００９】
図１は、本発明による放送受信装置の実施例１における構成の一例である。図１の受信システムにおいて、アンテナ１は、所定の方向に向けて配置されており、放送波を受信し、この受信信号をチューナ部に入力する。アンテナ１より受信した信号は、まずプリアンプ１０によって増幅された後、第１のＢＰＦ（帯域通過フィルタ）１１、ＲＦＶＧＡ（可変利得アンプ）１２、ミキサ１３、第２のＢＰＦ１５、ＩＦ（中間周波数）アンプ１６を通過してＩＦ信号として出力される。ＩＦアンプ出力はレベル検波回路２５に入力され、ＩＦ出力振幅レベルに応じたＤＣ（直流）電圧が出力される。電圧制限手段２６は、レベル検波回路２５から出力された信号をゲイン制御する。ＩＦＡＧＣ（中間周波数自動利得調整）１７とＩＦＡＧＣ２７によりゲイン制御された信号は、Ａ／Ｄ（アナログ／デジタル）コンバータ１８によりＡＤ変換され、復調回路１９によって復調され、ＦＥＣ（自動誤り訂正方式）２０によって誤り訂正処理された後、ＴＳ（トランスポートストリ−ム）信号として出力される。
【００１０】
受信状態情報検出手段４５は、復調回路１９などの出力に基づいて、ＡＧＣ（自動利得調整）、Ｃ／Ｎ（キャリア・ノイズ）比、ＢＥＲ（ビット誤り率）などの受信品位を検出するものである。受信状態情報検出手段４５により検出された各チャンネルの受信状態情報は、記憶手段２３に記憶される。
【００１１】
図２は、アンテナ調整モードにおける画面表示の一例である。例えばこの地域では、２０〜２７チャンネルの放送が受信可能であるとする。この情報は、ユーザーが入力する地域コードによりその地域に対応したチャンネル情報を取得すること、もしくは予めチャンネルサーチを行っておくことにより、得ることができる。ユーザーの操作によりアンテナ調整モードに入ると、まずは２０チャンネルを選局し、受信状態情報検出手段４５により検出した情報より、アンテナレベル（受信信号品質）を求め、記憶手段２３に、２０チャンネルのアンテナレベル（受信信号品質）として記憶する。次に２１チャンネルを選局し、受信状態情報検出手段４５により検出した情報より、アンテナレベル（受信信号品質）を求め、記憶手段２３に、２１チャンネルのアンテナレベル（受信信号品質）として記憶する。これを２７チャンネルまで繰り返す。このようにして各チャンネルのアンテナレベル（受信信号品質）を求め、記憶手段２３に記憶した情報より、図２のように各チャンネルのアンテナレベル（受信信号品質）を表示する。なお、ここで説明した方法によれば、受信可能な全チャンネルのアンテナレベル（受信信号品質）を求めて記憶手段２３に記憶し、一斉に画面表示することになるが、アンテナレベル（受信信号品質）を求めたチャンネルから順に画面表示してもよい。このように１チャンネルずつ順に表示する場合の例として、２０〜２２チャンネルのアンテナレベル（受信信号品質）が求まった後の画面表示例を図３に示す。
【００１２】
なお、図２、図３ではアンテナレベル（受信信号品質）を棒グラフにより図示しているが、求めた数値（０〜１００など）により画面表示してもよい。また、数値と棒グラフを両方表示することも可能である（図４）。
【００１３】
２７チャンネルのアンテナレベル（受信信号品質）取得が終了した後、再度２０チャンネルを選局し、アンテナレベル（受信信号品質）を取得して更新する。これを繰り返すことで、一定時間ごとに各チャンネルの受信信号品質の表示を更新することができる。アンテナレベル（受信信号品質）画面の更新時は、各チャンネルのアンテナレベル（受信信号品質）を順次求めて記憶手段２３に記憶した後、一斉に更新するようにしてもよい。または、各チャンネルのアンテナレベル（受信信号品質）を求める度に、１チャンネルずつ更新してもよい。
アンテナレベル（受信信号品質）は、ＡＧＣ（自動利得調整）、ＢＥＲ（ビット誤り率）、Ｃ／Ｎ（キャリア・ノイズ）比のうちのいずれか一つ、もしくは複数を組み合わせて算出する
【００１４】
例えば、アンテナレベル（受信信号品質）値が大きいほど受信状態が良い、あるいは受信電力が高いとすると、ＡＧＣによる増幅率が小さいほど受信電力が高いと考えられ、アンテナレベル（受信信号品質）が高くなる。Ｃ／Ｎ比、ＢＥＲを用いる場合には、Ｃ／Ｎ比が高いほど、またＢＥＲが低いほど、アンテナレベル（受信信号品質）は高くなる。Ｃ／Ｎ比、ＢＥＲの算出方法は、図１の復調回路１９、ＦＥＣ２０に依存する。アンテナレベル（受信信号品質）表示の更新時間は、ユーザーにとって短い方が良いため、ＡＧＣ、ＢＥＲ、Ｃ／Ｎ比より高速に算出できるものを利用してアンテナレベル（受信信号品質）を表示する。
【実施例２】
【００１５】
次に、アンテナ調整モード下における受信信号品質の表示更新時に、更新された時間、更新した回数の付加情報を同時に表示する例を、図５に示す。アンテナレベル（受信信号品質）は常に自動的に更新されるが、ユーザーはアンテナレベル（受信信号品質）の数値を確認しながらアンテナの方向を調整しているため、表示されているアンテナレベル（受信信号品質）値は、アンテナをどの方向に向けていたときの数値であるかを判断する必要がある。そこで、あるチャンネルのアンテナレベル（受信信号品質）の表示を更新する際、システムの時間を取得し、更新時間として表示する。また、アンテナレベル（受信信号品質）の表示を開始した時点で、更新回数を０に初期化し、以降、表示を更新したチャンネルの更新回数を１ずつ増加させる。図５の例では、アンテナレベル（受信信号品質）の更新をチャンネルごとに順に行っており、前回２５チャンネルが更新され、次に２６チャンネルが更新されることがわかる。
【００１６】
このときの動作を図６および図７を用いて説明する。図６は動作フロー図であり、図７は、受信可能なチャンネル番号を格納した配列の例である。図６において、アンテナレベル（受信信号品質）の表示が開始されると、更新回数に０、ＣＨ＿Ｍｉｎに配列番号の最小値、ＣＨ＿Ｍａｘに配列番号の最大値を代入して初期化する（Ｓ６０１〜Ｓ６０３）。Ｎｕｍは、現在算出および更新しようとしているチャンネル番号に対する配列番号であり、ここでは配列の先頭すなわちＣＨ＿Ｍｉｎを代入する（Ｓ６０４）。次に、アンテナレベル（受信信号品質）の表示画面が終了していないかの判定を行い（Ｓ６０５）、表示終了であればこの処理を終了する。次に、Ｎｕｍが最大のチャンネル番号を超えていないかの判定を行い（Ｓ６０６）、超えていた場合はＮｕｍを最小のチャンネル番号に戻す（Ｓ６０７）。次に、現在Ｎｕｍが保持しているチャンネル番号に対応する周波数を選局し、アンテナレベル（受信信号品質）を取得する（Ｓ６０８）。続いて、現在時刻を取得し（Ｓ６０９）、更新回数を１増加させ（Ｓ６１０）、画面表示の更新を行う（Ｓ６１１）。この後、次のチャンネルに移行するため、Ｎｕｍを１増加させて（Ｓ６１２）、Ｓ６０５に戻る。以降はＳ６０５〜Ｓ６１２の繰り返しとなる。このようにアンテナレベル（受信信号品質）の更新と同時に、更新時間、更新回数を取得することで、ユーザーは現在画面表示されているアンテナレベル（受信信号品質）がいつ算出されたものであるかを知ることができ、アンテナの方向を調整する際に効果的となる。
【実施例３】
【００１７】
次に、アンテナ調整モードにおいて受信可能な各チャンネルの受信信号品質を測定し、測定した各チャンネルの受信信号品質を総合して１つの受信信号品質として表示する方法について説明する。図４の例において、２０チャンネルから２７チャンネルまでのアンテナレベル（受信信号品質）を順に算出するが、このときの各チャンネルのアンテナレベル（受信信号品質）を総合して１つのアンテナレベル（受信信号品質）として求める。例えば、２０チャンネル〜２７チャンネルの各アンテナレベル（受信信号品質）の和を求め、これをもとに受信可能な全チャンネルを考慮した１つのアンテナレベル（受信信号品質）値とする。図４の例では、各チャンネルのアンテナレベル（受信信号品質）の和は４９１となり、平均値は６１となる。図８では一例として平均値を採用した場合のアンテナレベル（受信信号品質）表示画面を示している。前記の例と同様、更新時間、更新回数を同時に表示することも可能である。この例では、全チャンネルの平均値を採用したが、１つの総合的なアンテナレベル（受信信号品質）を求める方法はこれに限らない。例えば、同調しないチャンネルが存在する場合、総合的なアンテナレベル（受信信号品質）の数値が大きく減少するようにしてもよい。このように受信可能な全チャンネルのアンテナレベル（受信信号品質）を総合して１つのアンテナレベル（受信信号品質）値として表示することで、ユーザーは１つの数値のみを確認しながらアンテナの方向を調整することが可能となる。
【図面の簡単な説明】
【００１８】
【図１】図１は、本発明による放送受信装置の機能ブロック図である。
【図２】図２は、本発明の実施例１によるアンテナレベル（受信信号品質）表示画面の一例を示す図である。
【図３】図３は、本発明の実施例１によるアンテナレベル（受信信号品質）表示画面の一例を示す図である。
【図４】図４は、本発明の実施例１によるアンテナレベル（受信信号品質）表示画面の一例を示す図である。
【図５】図５は、本発明の実施例２によるアンテナレベル（受信信号品質）表示画面の一例を示す図である。
【図６】図６は、本発明の実施例２のアンテナレベル（受信信号品質）表示時の処理内容を示したフローチャートである。
【図７】図７は、受信可能なチャンネルを格納する配列の一例である。
【図８】図８は、本発明の実施例３によるアンテナレベル（受信信号品質）表示画面の一例を示す図である。
【符号の説明】
【００１９】
１    アンテナ
１０    プリアンプ
１１    第１の帯域通過フィルタ
１２    ＲＦＶＧＡ
１３    ミキサ
１４    ＯＳＣ
１５    第２の帯域通過フィルタ
１６    ＩＦアンプ
１７    ＩＦＡＧＣ
１８    Ａ／Ｄコンバータ
１９    復調回路
２０    ＦＥＣ
２３    記憶手段
２５    レベル検波器
２６    電圧制御手段
２７    ＩＦＡＧＣ
４５    受信状態情報検出手段
【図１】
2007104365.tif 000003
【図２】
2007104365.tif 000004
【図３】
2007104365.tif 000005
【図４】
2007104365.tif 000006
【図５】
2007104365.tif 000007
【図６】
2007104365.tif 000008
【図７】
2007104365.tif 000009
【図８】
2007104365.tif 000010